(57)【特許請求の範囲】
【請求項１】
水平方向に間隔をあけて対向配置された一対の支持体と、
一対の前記支持体間に架設され、上面に物品が搭載可能な棚板と、を備え、
前記棚板は、
金属製の棚板本体と、
前記棚板本体上に載置され、前記物品に備えられた無線通信マーカに記録された情報を、電磁波を介して読み出すアンテナと、
前記アンテナを覆うよう設けられ、前記電磁波を透過する材料で形成された天面部、および前記棚板本体の上面に立脚し、前記天面部を支持する脚部を有したカバー部材と、を備え、
前記支持体の少なくとも一方に、前記アンテナに接続される電子機器を収容する機器収容部を備え、
前記支持体に、前記棚板本体と前記カバー部材との間から導出されて前記アンテナと前記電子機器とを接続する配線が挿通される配線挿通部が設けられていることを特徴とする物品収納什器。
【請求項２】
前記棚板本体の上面に、下方に凹んだ凹部が形成され、
前記アンテナが前記凹部内に収容されるとともに、前記カバー部材が前記凹部を塞ぐように設けられていることを特徴とする請求項１に記載の物品収納什器。
【請求項３】
前記機器収容部に、開閉可能な開閉部が設けられていることを特徴とする請求項１に記載の物品収納什器。
【発明の詳細な説明】
【技術分野】
【０００１】
本発明は、棚板を有した物品収納什器に関する。
【背景技術】
【０００２】
近年、各種の施設等における物品の管理に、ＲＦＩＤ（Ｒａｄｉｏ  Ｆｒｅｑｕｅｎｃｙ  ＩＤｅｎｔｉｆｉｃａｔｉｏｎ）タグ等のマーカを用いた管理手法が用いられつつある。ＲＦＩＤ等のマーカには、管理対象となる物品の一つ一つに個別に付与された識別情報が電磁的に書き込まれる。このようなマーカは、それぞれの物品に設けられる。物品を管理するには、タグリーダで発する電波により、それぞれの物品のマーカに書き込まれた識別情報を読み出す。読み出した識別情報に基づき、例えば、在庫管理、入出庫管理等を行うことができる。
【０００３】
特許文献１には、図書館における書籍の管理に、マーカを用いる構成が開示されている。この構成においては、ブックカートに、マーカから情報を読み取る読取装置と、読取装置で読み出した情報に基づいて処理を行うパーソナルコンピュータ等の業務支援装置と、を備えている。
【０００４】
また、特許文献２には、紙媒体、電子媒体の物品を収容する棚の上に、アンテナ機能を有した通信用シートを配置する構成が開示されている。この構成においては、通信用シートが発する電波により、棚上に載置される物品が備えるＲＦＩＤタグから情報を読み出す。
【先行技術文献】
【特許文献】
【０００５】
【特許文献１】特開２０１５−１７６２２４号公報
【特許文献２】特開２０１２−３３１８号公報
【発明の概要】
【発明が解決しようとする課題】
【０００６】
しかしながら、特許文献１に開示された構成においては、ブックカートに備える読み取り装置やパーソナルコンピュータ等の業務支援装置が、ブックカートの棚板上等に露出している。したがって、ブックカートへの書籍等の物品の収納スペースを損なうこととなる。
【０００７】
これに対し、特許文献２に開示された構成においては、棚の上に通信用シートを配置しているため、棚板上への物品の収納の妨げにはならない。しかし、通信用シート上に紙媒体や電子媒体を載置するため、紙媒体や電子媒体が通信用シート上に落下したり、紙媒体や電子媒体の重量によって、通信用シートが損傷し、機能を発揮できなくなる可能性がある。
【０００８】
そこでなされた本発明の目的は、物品の収納効率を妨げることなく、かつ所要の機能を確実に発揮することのできる高い信頼性を有する物品収納什器を提供することである。
【課題を解決するための手段】
【０００９】
本発明は、上記課題を解決するため、以下の手段を採用する。
この発明に係る物品収納什器は、水平方向に間隔をあけて対向配置された一対の支持体と、一対の前記支持体間に架設され、上面に物品が搭載可能な棚板と、を備え、前記棚板は、金属製の棚板本体と、前記棚板本体上に載置され、前記物品に備えられた無線通信マーカに記録された情報を、電磁波を介して読み出すアンテナと、前記アンテナを覆うよう設けられ、前記電磁波を透過する材料で形成された天面部、および前記棚板本体の上面に立脚し、前記天面部を支持する脚部を有したカバー部材と、を備え、前記支持体の少なくとも一方に、前記アンテナに接続される電子機器を収容する機器収容部を備え、前記支持体に、前記棚板本体と前記カバー部材との間から導出されて前記アンテナと前記電子機器とを接続する配線が挿通される配線挿通部が設けられていることを特徴とする。
【００１０】
このような物品収納什器は、棚板が、棚板本体と、棚板本体上に設けられたアンテナと、棚板本体上に設けられてアンテナを覆うカバー部材と、を備えている。これにより、物品は、アンテナを覆うカバー部材上に載置されるため、アンテナがカバー部材によって保護され、棚板上に載置する物品による荷重や衝撃によって損傷するのを防ぐことができる。また、アンテナは、カバー部材の下方に収納されることとなるので、棚板上に露出することがなく、物品の収納スペースを損なうのを抑えることができる。
また、このように構成することで、アンテナに接続される電子機器を、機器収容部に収納することができる。したがって、電子機器を棚板上に載せる必要が無く、棚板上のスペースの有効利用を図ることができる。
また、アンテナと電子機器とを接続する配線も、支持体に設けられた配線挿通部に挿通させればよく、配線が露呈するのを抑えることができる。
【００１１】
また、この発明に係る物品収納什器は、上記物品収納什器において、前記棚板本体の上面に、下方に凹んだ凹部が形成され、前記アンテナが前記凹部内に収容されるとともに、前記カバー部材が前記凹部を塞ぐように設けられているようにしてもよい。
このように構成することで、アンテナ、およびカバー部材が棚板本体から上方に突出するのを抑えることができる。したがって、物品の載置面が平滑となる。
【００１３】
また、この発明に係る物品収納什器は、上記物品収納什器において、前記機器収容部に、開閉可能な開閉部が設けられているようにしてもよい。
このように構成することで、機器収容部内に電子機器を設置したり、電子機器のメンテナンス等を行う際には、開閉部を開くことで、作業を容易に行うことができる。
【発明の効果】
【００１４】
この発明に係る物品収納什器によれば、物品の収納効率を妨げることなく、かつ所要の機能を確実に発揮することができ、高い信頼性を有するものとなる。
【図面の簡単な説明】
【００１５】
【図１】この発明の一実施形態に係るカート装置の全体構成を示す模式図である。
【図２】上記カート装置の構成を示す斜視展開図である。
【図３】カート装置を構成するフレームを示す斜視図である。
【図４】カート装置に備えたサイドパネルの内側パネルを示す斜視図である。
【図５】カート装置を斜め上方から見た斜視図である。
【図６】棚板の側断面図である。
【図７】カート装置の側断面図である。
【図８】上記実施形態におけるカート装置の変形例を示す図である。
【発明を実施するための形態】
【００１６】
以下、添付図面を参照して、本発明による物品収納什器を実施するための形態を説明する。しかし、本発明はこれらの実施形態のみに限定されるものではない。
図１は、この発明の一実施形態に係るカート装置の全体構成を示す模式図である。図２は、上記カート装置の構成を示す斜視展開図である。図３は、カート装置を構成するフレームを示す斜視図である。図４は、カート装置に備えたサイドパネルの内側パネルを示す斜視図である。図５は、カート装置を斜め上方から見た斜視図である。図６は、棚板の側断面図である。図７は、カート装置の側断面図である。
図１、図２に示すカート装置（物品収納什器）１０は、例えば、図書館や書店等における書籍の管理業務、医療施設や介護施設におけるカルテの管理業務等に用いられるもので、フレーム２０と、フレーム２０に装着されるサイドパネル（機器収容部）３０およびバックパネル４０（図２参照）と、棚板５０と、を備えている。
ここで、カート装置１０において、使用者が書籍やカルテ等の物品を収納物としてカート装置１０に出し入れする側を「前方」、その反対側を「後方」、水平面内で前方と後方とを結ぶ方向に直交する方向を「幅方向」または「側方」と称する。
【００１７】
図２、図３に示すように、フレーム２０は、ベースフレーム２１と、側部フレーム（支持体）２２と、前部フレーム２３と、を備えている。
【００１８】
図３に示すように、ベースフレーム２１は、平面視矩形状で、床面Ｆと平行に配置されている。ベースフレーム２１は、前方に設けられて幅方向に延びる前部杆体２１ｆと、後方に設けられて幅方向に延びる後部杆体２１ｒと、幅方向両側に設けられ、それぞれ前後方向に延びる側部杆体２１ｓ，２１ｓと、を備えている。
ベースフレーム２１の四隅の下面には、それぞれ、カート装置１０を床面Ｆ上で走行移動可能とするキャスター部材２４が設けられている。
【００１９】
側部フレーム２２は、ベースフレーム２１の幅方向両側のそれぞれに設けられている。各側部フレーム２２は、側部杆体２１ｓの前後両端部から鉛直上方に延びるよう立設された支柱２２ｃと、前後方向において隣接する支柱２２ｃ，２２ｃの上端部間に架設された上部側部杆体２２ｓと、を備え、門形をなしている。
また、幅方向両側の側部フレーム２２の上部側部杆体２２ｓ上には、カート装置１０を移動させる際に使用者が把持する把手２５が設けられている。
【００２０】
前部フレーム２３は、カート装置１０の前方において、幅方向で互いに隣接する支柱２２ｃ，２２ｃ間に、幅方向に延びるように架設されている。この実施形態において、前部フレーム２３は、前部杆体２１ｆの鉛直上方に、間隔をあけて２本が設けられている。
【００２１】
上記フレーム２０を構成するベースフレーム２１、側部フレーム２２、および前部フレーム２３の各部材は、溶接、またはブラケットを介したボルト接合等によって、一体に形成されている。
【００２２】
図２に示すように、サイドパネル３０は、フレーム２０の幅方向両側の側部フレーム２２にそれぞれ設けられている。各サイドパネル３０は、内側パネル３１と、外側パネル（開閉部）３２と、を備えている。
【００２３】
内側パネル３１は、側部フレーム２２に、図示しないビス等によって着脱可能に装着されている。図２、図４に示すように、内側パネル３１は、ベース板３１ａと、前壁部３１ｆ，後壁部３１ｒと、上壁部３１ｔと、下壁部３１ｂと、を備えている。ベース板３１ａは、側部フレーム２２を構成する支柱２２ｃ，２２ｃと、上部側部杆体２２ｓと、ベースフレームの側部杆体２１ｓとに囲まれた空間を塞ぐよう設けられる。前壁部３１ｆ，後壁部３１ｒは、ベース板３１ａの前後方向両端部から、それぞれカート装置１０の幅方向外方に向かって立ち上がるよう設けられる。上壁部３１ｔは、ベース板３１ａの上端部からカート装置１０の幅方向外方に向かって立ち上がるよう設けられる。下壁部３１ｂは、ベース板３１ａの下端部からカート装置１０の幅方向外方に向かって立ち上がるよう設けられる。このようにして、内側パネル３１は、幅方向外方に向かって開口した有底箱状をなしている。
【００２４】
ベース板３１ａには、フレーム２０の各前部フレーム２３、前部杆体２１ｆのそれぞれ後方側に対応する位置に、カート装置１０の幅方向に貫通する貫通孔（配線挿通部）３４が形成されている。
【００２５】
図４に示すように、ベース板３１ａには、ＰＣ等のコンピュータ装置、コンピュータ装置と外部のネットワークとの通信を行うための通信装置等の電子機器、およびこれらの電子機器用の電源用配線等の物品を収容するための棚部材３５が設けられている。棚部材３５は、ベース板３１ａに溶接あるいはビス留めされた固定部３５ａと、水平面内に位置し、固定部３５ａからベース板３１ａに直交してカート装置１０の幅方向外方に向かって延びる棚部３５ｂと、棚部３５ｂの幅方向外方の端部から上方に向かって延びる枠部３５ｃと、を一体に備えている。このような棚部材３５は、上記したような電子機器等を棚部３５ｂ上に載置し、枠部３５ｃとベース板３１ａとの間の空間に収容する。
また、マグネットを備えたコンセントユニット等を磁着させるためのプレート部材３６をベース板３１ａに設けることもできる。プレート部材３６は、固定部３６ａからベース板３１ａに直交してカート装置１０の幅方向外方に向かって延びるよう設けられている。プレート部材３６は、水平面内に限らず、鉛直面内に位置するように設けることもできる。
さらに、ベース板３１ａ、棚部材３５、プレート部材３６等に、電源用配線の余長等、各種物品を掛止させるフック部材（図示無し）等を設けてもよい。
【００２６】
また、図４、図５に示すように、内側パネル３１の上壁部３１ｔには、複数のスリット等の開口３７が形成されている。この開口３７により、内側パネル３１内に収容した各種電子機器等から放出される熱を、外部に放出することができる。
【００２７】
図２に示すように、外側パネル３２は、内側パネル３１の前方または後方の端部に設けられた図示しないヒンジを介し、内側パネル３１に対し、このヒンジを中心として鉛直軸回りに回動自在に設けられている。このようにして、外側パネル３２は、内側パネル３１の幅方向外方を向いた開口を、開閉可能となっている。外側パネル３２は、図示しないロック機構やマグネットキャッチ３８等により、内側パネル３１の開口を塞いだ閉状態を維持できるようになっている。
この外側パネル３２において、カート装置１０の幅方向外方を向く外表面３２ｆ（図１参照）は、塗装、装飾フィルムの貼着等によって、化粧面とすることができる。
【００２８】
図２に示すように、バックパネル４０は、カート装置１０の幅方向両側に設けられた側部フレーム２２，２２の後方の支柱２２ｃ，２２ｃと、ベースフレーム２１の後部杆体２１ｒとに囲まれた空間を塞ぐよう設けられている。バックパネル４０は、支柱２２ｃ，２２ｃと、後部杆体２１ｒとに、図示しないビス等によって着脱可能に装着されている。
【００２９】
棚板５０は、フレーム２０の側部フレーム２２，２２の間に、上下方向に１段以上が設けられている。この実施形態においては、棚板５０は、上下方向に間隔をあけて例えば３段が設けられている。
図２、図５、図６に示すように、各棚板５０は、棚板本体５１と、アンテナ５８と、カバー部材５９と、を備えている。
【００３０】
図６に示すように、棚板本体５１は、金属製で、底板部５１ａと、底板部５１ａの後端から連続して上方に向かって延びる背板部５１ｂと、底板部５１ａの前端部に設けられたフック部５４と、背板部５１ｂの上端から後方に延びるよう設けられた天面部５１ｄと、天面部５１ｄの後端から下方に延びるよう設けられた折返し部５１ｅと、を一体に備えている。
また、図２、図５に示すように、最上段の棚板５０Ｔを構成する棚板本体５１Ｔは、天面部５１Ｔｄが、後方に向かって延び、バックパネル４０との間を塞ぐように形成されている。
【００３１】
図６に示すように、フック部５４は、フレーム２０のベースフレーム２１の前部杆体２１ｆ、前部フレーム２３に係止される。フック部５４は、底板部５１ａの前端部から上方に立ち上がる後壁部５４ｒと、後壁部５４ｒの上端から前方に向かって延びる上壁部５４ｔと、上壁部５４ｔの前端から下方に向かって延びる前壁部５４ｆと、を一体に備えた逆Ｕ字状をなしている。フック部５４は、後壁部５４ｒ、上壁部５４ｔ、前壁部５４ｆに囲まれた部分に、前部杆体２１ｆまたは前部フレーム２３を収めることで、前部杆体２１ｆ、前部フレーム２３に係止される。
【００３２】
また、背板部５１ｂの幅方向両端部には、後方に向かって延びる固定片５５が一体に形成されている。固定片５５には、上下方向に間隔をあけた複数個所にビス孔５５ｈが形成されている。図７に示すように、棚板本体５１の幅方向両側に設けられた固定片５５，５５のそれぞれにおいて、各ビス孔５５ｈを通し、ビス５５ｂをサイドパネル３０の内側パネル３１にねじ込むことで、棚板本体５１は幅方向両側が内側パネル３１，３１に締結固定される。
【００３３】
また、底板部５１ａの幅方向両端部には、鉛直下方に向かって延びる補強リブ５７が形成されている。
【００３４】
図６に示すように、このような棚板本体５１には、底板部５１ａの後方で背板部５１ｂが立ち上がり、底板部５１ａの前方でフック部５４が立ち上がることで、背板部５１ｂとフック部５４との間に下方に凹んだ凹部５６が形成されている。
このような棚板本体５１は、金属板を折り曲げ加工することで形成されている。
【００３５】
アンテナ５８は、ＲＦＩＤタグ等のマーカに記録された識別情報等を読み出すため、所定周波数の電磁波を発する。アンテナ５８は、平面視長方形のシート状をなしている。このアンテナ５８の構成については、アンテナ５８として所要の機能を果たすことができるのであれば、その具体的な構成を何ら限定するものではない。
このアンテナ５８は、棚板本体５１において、背板部５１ｂとフック部５４との間に形成された凹部５６内で、底板部５１ａ上に敷設されている。
【００３６】
カバー部材５９は、アンテナ５８で送受信する電磁波を透過可能な材料、例えば樹脂製で、アンテナ５８の上方を覆うように設けられている。カバー部材５９は、棚板本体５１の底板部５１ａとほぼ同じ大きさの平面視長方形で、平板状をなした天面部５９ｆと、天面部５９ｆにおいて前後方向で互いに対向する長辺からそれぞれ下方に向かって延びる脚部５９ｗと、を一体に備えている。カバー部材５９は、脚部５９ｗの下端を棚板本体５１の底板部５１ａに突き当てた状態で、天面部５９ｆがフック部５４の上壁部５４ｔと連続した面内に位置するよう設けられる。
【００３７】
カバー部材５９において、天面部５９ｆの短辺５９ｓの下方には、脚部５９ｗ，５９ｗにより、棚板本体５１の底板部５１ａとの間に、開口部Ｓが形成されている。この開口部Ｓを通し、アンテナ５８に電力を供給する電源配線や、アンテナ５８でＲＦＩＤタグ等のマーカから読み出して受信した信号を出力する信号配線等の配線が、棚板５０の幅方向側方に導出される。導出された配線は、サイドパネル３０の内側パネル３１において、前部フレーム２３、前部杆体２１ｆのそれぞれ後方側に対応する位置で開口部Ｓに対向するよう形成された貫通孔３４を通して、内側パネル３１内に案内される。
【００３８】
このようなカート装置１０においては、各棚板５０上に、ＲＦＩＤタグ等のマーカを備える書籍やカルテ等の物品を載せると、棚板５０に設けられたアンテナ５８から発する電磁波により、物品が備えるマーカに含まれる情報が読み出される。読み出された情報は、アンテナ５８から信号配線を通し、サイドパネル３０内に収容されたＰＣ等のコンピュータ装置に転送される。
コンピュータ装置においては、アンテナ５８から出力された信号に基づき、物品の在庫管理等、予め定められた業務処理を実行する。
【００３９】
上述したようなカート装置１０は、水平方向に間隔をあけて対向配置された一対の側部フレーム２２，２２と、一対の側部フレーム２２，２２間に架設され、上面に物品が搭載可能な棚板５０と、を備え、棚板５０は、金属製の棚板本体５１と、棚板本体５１上に載置され、物品に備えられた無線通信マーカに記録された情報を、電磁波を介して読み出すアンテナ５８と、アンテナ５８を覆うよう設けられ、電磁波を透過する材料で形成された天面部５９ｆ、および棚板本体５１の上面に立脚し、天面部５９ｆを支持する脚部５９ｗを有したカバー部材５９と、を備える。
【００４０】
このようなカート装置１０は、棚板５０が、棚板本体５１と、棚板本体５１上に設けられたアンテナ５８と、棚板本体５１上に設けられてアンテナ５８を覆うカバー部材５９と、を備えている。これにより、物品は、アンテナ５８を覆うカバー部材５９上に載置されるため、アンテナ５８がカバー部材５９によって保護され、棚板５０上に載置される物品による荷重や衝撃によって損傷するのを防ぐことができる。また、アンテナ５８は、カバー部材５９の下方に収納されることとなるので、棚板５０上に露出することがなく、物品の収納スペースを損なうのを抑えることができる。
したがって、カート装置１０の棚板５０は、物品の収納効率を妨げることなく、かつ所要の機能を確実に発揮することができ、高い信頼性を有するものとなる。
また、棚板本体５１が金属製であるので、これを木製や樹脂製で形成する場合に比較し、厚さを小さくすることができる。また、棚板本体５１が金属製であることで、下段側の他の棚板５０に設けられたアンテナ５８が発する電磁波を遮ることができ、高感度なマーカ検出を行うことができる。
【００４１】
また、上記カート装置１０において、棚板本体５１の上面に、下方に凹んだ凹部５６が形成され、アンテナ５８が凹部５６内に収容されるとともに、カバー部材５９が凹部５６を塞ぐように設けられている。
このように構成することで、アンテナ５８、およびカバー部材５９が棚板本体５１から上方に突出するのを抑えることができる。したがって、物品の載置面が平滑となる。
【００４２】
また、上記カート装置１０において、側部フレーム２２，２２に、アンテナ５８に接続される電子機器を収容するサイドパネル３０を備え、側部フレーム２２，２２に、棚板本体５１とカバー部材５９との間から導出されてアンテナ５８と電子機器とを接続する配線が挿通される貫通孔３４が設けられている。
このように構成することで、アンテナ５８に接続される電子機器を、サイドパネル３０に収納することができる。したがって、電子機器を棚板５０上に載せる必要が無く、棚板５０上のスペースの有効利用を図ることができる。
【００４３】
また、上記カート装置１０において、サイドパネル３０に、開閉可能な外側パネル３２が設けられている。
このように構成することで、サイドパネル３０内に電子機器を設置したり、電子機器のメンテナンス等を行う際には、外側パネル３２を開くことで、作業を容易に行うことができる。
【００４４】
（変形例）
上記実施形態において、アンテナ５８によって読み出した情報を処理するコンピュータ装置を、サイドパネル３０内に収納するようにしたが、これに限らない。
図８は、上記実施形態におけるカート装置の変形例を示す図である。
例えば、図８に示すように、コンピュータ装置２００は、カート装置１０において、最下段の棚板５０の後方に、ベースフレーム２１に支持パネル９０を設ける等し、この支持パネル９０上にコンピュータ装置２００を設けるようにしてもよい。
このようにすることで、カート装置１０における棚板５０の後方空間を有効利用することができる。
【００４５】
（その他の実施形態）
なお、本発明の物品収納什器は、図面を参照して説明した上述の実施形態に限定されるものではなく、その技術的範囲において様々な変形例が考えられる。
例えば、フレーム２０の構成、コンピュータ装置等の物品を収容する機能を有したサイドパネル３０の形状や構成等については、適宜変更することが可能である。
また、カート装置１０の幅方向両側に設けたサイドパネル３０の双方に、コンピュータ装置等の物品を収容可能としてもよいし、いずれか一方のみのサイドパネル３０のみ、物品を収納可能としてもよい。一方のサイドパネル３０のみ、物品を収納可能とする場合、他方のサイドパネル３０においては、内側パネル３１、外側パネル３２を単なるパネル状とし、内部に物品を収容するための空間を備えない構成とすればよい。さらに、この場合、外側パネル３２は、開閉可能とせず、内側パネル３１に固定的に設けてもよい。
【００４６】
また、棚板５０を備える段数も、いかなるものとしてもよい。さらに、一つのカート装置の前後に、それぞれ棚板５０を設ける、両面利用型のカート装置を構成しても良い。
【００４７】
加えて、カート装置１０の利用目的、カート装置１０に収納（搭載）する物品の種類、物品の管理手法等については、何ら限定するものではない。
【００４８】
また、上記実施形態では、床面Ｆ上で移動可能なカート装置１０を例に挙げたが、これに限らず、本発明は、床面Ｆ上に固定的に設置される固定棚等にも適用可能である。
これ以外にも、本発明の主旨を逸脱しない限り、上記実施の形態で挙げた構成を取捨選択したり、他の構成に適宜変更したりすることが可能である。
【符号の説明】
【００４９】
１０  カート装置（物品収納什器）
２２  側部フレーム（支持体）
３０  サイドパネル（機器収容部）
３２  外側パネル（開閉部）
３４  貫通孔（配線挿通部）
５０  棚板
５１  棚板本体
５６  凹部
５８  アンテナ
５９  カバー部材
５９ｆ  天面部
５９ｗ  脚部
【図１】
0006719888.tif 000002
【図２】
0006719888.tif 000003
【図３】
0006719888.tif 000004
【図４】
0006719888.tif 000005
【図５】
0006719888.tif 000006
【図６】
0006719888.tif 000007
【図７】
0006719888.tif 000008
【図８】
0006719888.tif 000009